(57)【要約】【課題】何かほかの用向きと並行して効率よく肌測定を行うことができ、かつ、携行に便利な肌測定の手段を提供する。【解決手段】携帯通信端末１を用いて音声通話を行う場合、第１筐体１１と第２筐体１２を互いに開いた状態で第２筐体１２を手に持ち、第１筐体１１上方の受話部１５を耳元に、第２筐体下方の送話部１６を口元にそれぞれ近づけた状態で使用する。そうすると、第１筐体１１の表示部１４の下方に取り付けられた肌測定センサ１８は、図中のブロック矢印で表すように音声通話中の通話者の肌（例えば頬の近傍）と接し得る位置にある。音声通話の開始に伴って肌測定が開始されるように予め設定しておけば、音声通話と並行かつ自動的に肌測定を行うことができる。【選択図】図３
2009065390.tif 000002
【特許請求の範囲】
【請求項１】
画面表示を伴うアプリケーション又は音声通話の少なくとも一方を実行することができる制御手段と、
前記制御手段によるアプリケーションの実行中に使用者の肌に接し得るように前記筐体に取り付けられ、前記画面表示を伴うアプリケーション又は音声通話の少なくとも一方と並行して肌測定を行うことができる肌測定センサと、
前記肌測定センサによって取得した取得データに基づいて、肌測定の結果を表示することができる表示手段とを
備えたことを特徴とする携帯通信端末。
【請求項２】
前記肌測定センサは音声通話中に通話者の肌と接し得る位置に取り付けられたことを特徴とする請求項１に記載の携帯通信端末。
【請求項３】
前記肌測定センサは音声通話中の通話者の肌と接し得る位置に取り付けられると共に、音声通話の開始に伴って肌測定を開始することができることを特徴とする請求項１に記載の携帯通信端末。
【請求項４】
テレビジョン放送を受信する手段をさらに備え、前記肌測定センサはテレビジョン放送視聴中の視聴者の肌と接し得る位置に取り付けられたことを特徴とする請求項１に記載の携帯通信端末。
【請求項５】
肌測定の被測定者を認証することができる認証手段をさらに備えたことを特徴とする請求項１ないし請求項４のいずれか１項に記載の携帯通信端末。
【発明の詳細な説明】
【技術分野】
【０００１】
本発明は携帯通信端末に係り、特に肌測定機能を備えた携帯通信端末に関する。
【背景技術】
【０００２】
肌の水分、油分等を測定して、その結果を表示することができる美容器具が知られている（例えば、非特許文献１ないし非特許文献３参照。）。これらの美容器具は、水分、油分等のセンサとデータ処理部及び表示部を備え、センサを肌に押し当てて測定した結果を表示部に表示したり、パーソナル・コンピュータに結果のデータを送信して表示させたりすることができる。
【０００３】
これら従来の美容器具に用いられているセンサの方式は、肌に押し当てた電極の間に微小電流を流して肌の電気抵抗値を測定したり、センサと肌の間の静電容量値を測定したり、センサの肌に対する接触面における光の全反射の割合を測定したりするものである（例えば、特許文献１参照。）。
【特許文献１】特開２００３−２１０４１６号公報（第２、３ページ、図１０）
【非特許文献１】http://www.macros.ne.jp/skinchecker.html
【非特許文献２】http://www.wavecyber.com/WSK-P500U.htm
【非特許文献３】http://www.kdd1.com/keiki/toripl_sensTR-3.html
【発明の開示】
【発明が解決しようとする課題】
【０００４】
上述した従来の美容器具はいずれも肌測定専用の装置であり、何かほかの用向きと並行して効率よく肌測定をするという使い方は難しい。また、従来の美容器具には携行可能な重量とサイズを備えたものもあるが、せいぜい１日数回程度に過ぎない利用のためにわざわざ携行するのは煩わしいと感じられる可能性もある。
【０００５】
本発明は上記の問題を解決するためになされたもので、何かほかの用向きと並行して効率よく肌測定を行うことができ、かつ、携行に便利な肌測定の手段を提供することを目的とする。
【課題を解決するための手段】
【０００６】
上記目的を達成するために、本発明の携帯通信端末は、画面表示を伴うアプリケーション又は音声通話の少なくとも一方に用いることのできる携帯通信端末において、筐体と、前記筐体に取り付けられ、前記画面表示を伴うアプリケーション又は音声通話の少なくとも一方に用いることができるヒューマンインターフェース手段と、前記ヒューマンインターフェース手段の使用中に使用者の肌に接し得るように前記筐体に取り付けられ、前記画面表示を伴うアプリケーション又は音声通話の少なくとも一方と並行して肌測定を行うことができる肌測定センサと、前記肌測定センサの取得データを処理することができる処理手段と、前記処理された取得データに基づいて、肌測定の結果を表示することができる表示手段とを備えたことを特徴とする。
【発明の効果】
【０００７】
本発明によれば、携帯通信端末に対しその利用形態に合わせる形で肌測定センサを取り付けることにより、携帯通信端末の利用と並行して効率よく肌測定を行うことができ、かつ、携行に便利な肌測定の手段を提供することができる。
【発明を実施するための最良の形態】
【０００８】
以下、図面を参照して、本発明の実施例を説明する。
【実施例１】
【０００９】
以下、図１ないし図７を参照して、本発明の実施例１を説明する。図１は、本発明の実施例１に係る携帯通信端末１の外観図である。携帯通信端末１は、第１筐体１１と第２筐体１２が開閉可能に接続されて構成される。図１は、第１筐体１１と第２筐体１２が互いに開いた状態を使用者側から見て表したものである。ただし、携帯通信端末１の筐体構成は、図１に表したようないわゆる折りたたみ型に限るものではない。
【００１０】
第１筐体１１には、例えば液晶デバイスからなる表示部１４が取り付けられている。表示部１４は文字や画像を表示することができ、携帯通信端末１は表示部１４を用いて画面表示を伴うアプリケーション（例えば電子メール送受信、ウェブページ閲覧、電話帳の作成と閲覧その他）を実行することができる。第１筐体１１には、受話部１５が取り付けられている。第２筐体１２には、送話部１６が取り付けられている。携帯通信端末１は、受話部１５と送話部１６を備えたことにより、音声通話に用いることができる。
【００１１】
第２筐体１２には、複数の操作キーからなる操作入力部１７（破線の枠で囲んで表す。）が取り付けられている。操作入力部１７は、図示しない第１筐体１１又は第２筐体１２の側面又は背面に設けられた操作キーを含んでもよい。操作入力部１７に属する操作キーが操作されることにより、携帯通信端末１に対するテキストや操作コマンドの入力が可能になる。上述した表示部１４、受話部１５、送話部１６及び操作入力部１７は、いずれも携帯通信端末１のヒューマンインターフェース手段として機能する。
【００１２】
第１筐体１１の表示部１４の下方に、肌測定センサ１８が取り付けられている。肌測定センサ１８は、例えば背景技術において述べた電気的、光学的その他の方法により、接触する肌の水分、油分を測定することができるものである。肌測定センサ１８は、受話部１５又は表示部１４と同じく第１筐体１１に取り付けられている。
【００１３】
図２は、携帯通信端末１のブロック図である。携帯通信端末１は、アンテナ１９と送受信部２０を備え、図示しない移動通信基地局との間で電波の送受信をすることができる。携帯通信端末１は、音声インターフェース部２１、制御部２２及びメモリ２３を備えている。
【００１４】
送受信部２０、音声インターフェース部２１、メモリ２３並びに図１を参照して説明した表示部１４、操作入力部１７及び肌測定センサ１８は、例えば共通バスを通してそれぞれ制御部２２に接続され、制御部２２によって監視及び制御される。制御部２２は、例えばマイクロプロセッサのような処理デバイスが単一で、又は組み合わされて構成される。
【００１５】
音声通話の場合、相手方から上記の基地局を通して送られてくる符号化された音声信号は、アンテナ１９を経て送受信部２０において受信されると共に復調及び誤り訂正等の処理がされ、さらに音声インターフェース部２１において復号されると共に受話部１５から再生される。また、送話部１６がピックアップした音声は音声インターフェース部２１において符号化され、送受信部２０において誤り訂正符号化、変調及び増幅された後アンテナ１９から基地局へ向けて送信される。
【００１６】
図３は、音声通話における携帯通信端末１の利用態様を例示する図である。通常の音声通話においては、第１筐体１１と第２筐体１２が互いに開かれて第２筐体１２が手持ちされ、第１筐体１１上方の受話部１５を耳元に、第２筐体下方の送話部１６を口元にそれぞれ近づけた状態で使用される。そうすると、第１筐体１１の表示部１４の下方に取り付けられた肌測定センサ１８は、音声通話中の通話者の肌（例えば頬の近傍）と接し得る位置にある（図中のブロック矢印で表す。）。
【００１７】
図３に表した状態において操作入力部１７に属する操作キーのいずれかが操作されると、肌測定センサ１８が起動されて肌測定が開始されるようにすることができる。また、音声通話の開始に伴って肌測定が開始されるように予め設定しておき、送話又は受話を開始する操作を受けて肌測定センサ１８が起動され、肌測定が開始されるようにすることもできる。
【００１８】
肌測定が所定の時間にわたって行われた後に終了すると、肌測定センサ１８は測定終了を制御部２２に通知する。制御部２２は当該通知を受けて、音声インターフェース部２１を介して受話部１５から（又は、受話部１５と別に設けられた図示しないスピーカーから）測定終了の報知音を出させるようにすることができる。制御部２２は当該通知を受けて、表示部１４における文字表示により測定終了を報知することもできる。
【００１９】
肌測定センサ１８は測定終了の後、取得データを制御部２２に送る。制御部２２は取得データを処理して、表示部１４に肌測定の結果を表示することができる。なお、肌測定の開始に先立って予め測定条件（例えば年齢）を設定できるようにしておき、制御部２２が当該測定条件に基づいて取得データを処理することもできる。
【００２０】
制御部２２は、肌測定センサ１８の取得データ又は処理結果のデータをメモリ２３に記憶させることができる。制御部２２は、記憶されたデータをメモリ２３から読み出して、肌測定の履歴として表示部１４に表示することができる。
【００２１】
肌測定の開始に先立って、被測定者を認証することができるようにしてもよい。例えば操作入力部１７に属する操作キーを用いて肌測定を開始し又は音声通話の開始と同時の肌測定開始を設定する操作がされたとき、制御部２２が表示部１４にパスワード入力のプロンプト表示を行う。認証手段はパスワードに限らず、例えば携帯通信端末１が図示しない生体（指紋、静脈、虹彩等）認証用のセンサを備えることにより、生体認証の方法を用いて行ってもよい。
【００２２】
認証情報（パスワード等）が予め登録済みのものと一致したとき、肌測定の開始を許すようにすることができる。また、複数の被測定者に対応して複数の認証情報を登録可能にしておき、上述した取得データ又は処理結果のデータの記憶と履歴表示を個々の認証情報別に行うこともできる。上述した測定条件（年齢等）の設定を、認証情報の登録と組み合わせて行えるようにしてもよい。
【００２３】
以上に説明した肌測定の処理を、図４のフローチャートを参照して改めて説明する。なお、測定条件（年齢等）は予め設定済み、認証情報（例えばパスワード）は予め登録済みであって、それぞれメモリ２３に記憶されていると仮定する。
【００２４】
処理を開始（“ＳＴＡＲＴ”）すると、操作入力部１７を用いて、音声通話の開始に伴って肌測定が開始されるように予め設定する操作がされる（ステップＳ１）。このような操作は、例えば携帯通信端末１のいわゆる待ち受け状態において表示部１４に表示されるメニューから、選択的に行うことができる。なお、ステップＳ１においては、音声通話の開始に伴う肌測定の開始するための操作に限定されず、例えば、通話を行うためのダイヤル入力の開始に伴うものでもよいし、その他にも電話帳を開くための操作に基づくものでもよい。また、着呼を受けたことに基づいて肌測定を開始してもよい。
【００２５】
そうすると制御部２２は、被測定者を認証するためのパスワードの入力を要求するメッセージを表示部１４に表示し（ステップＳ２）、操作入力部１７を用いてパスワードが入力されるのを待つ（ステップＳ３の“ＮＯ”）。パスワードが入力されると（ステップＳ３の“ＹＥＳ”）、制御部２２は入力されたパスワードとメモリ２３に記憶された登録済みパスワードの一致を判定する。
【００２６】
上記の判定の結果が一致しなければ（ステップＳ４の“ＮＯ”）、制御部２２はパスワードの不一致を警告するメッセージを表示部１４に表示し（ステップＳ５）、ステップＳ２に戻る。上記の判定の結果が一致すれば（ステップＳ４の“ＹＥＳ”）、制御部２２は操作入力部１７を用いて音声通話の送話又は受話を開始する操作がされるのを待つ（ステップＳ６の“ＮＯ”）。
【００２７】
送話又は受話を開始する操作がされると（ステップＳ６の“ＹＥＳ”）、制御部２２は肌測定センサ１８を起動し、肌測定を開始する（ステップＳ７）。その後、制御部２２は肌測定センサ１８からの測定終了の通知を待つ（ステップＳ８の“ＮＯ”）。肌測定センサ１８から測定終了の通知を受け取ると（ステップＳ８の“ＹＥＳ”）、制御部２２は音声インターフェース部２１を介して受話部１５又は図１、図２に図示しないスピーカーから測定終了の報知音を出させる（ステップＳ９）。
【００２８】
肌測定センサ１８は、測定によって取得した肌の水分、油分等のデータを制御部２２に転送する（ステップＳ１０）。制御部２２は、予め設定済みであってメモリ２３に記憶された測定条件（例えば年齢）に基づいて取得データを処理し、取得データ又は処理結果のデータをメモリ２３に記憶する。制御部２２は、自動的に又は操作入力部１７を用いた操作を受けて処理結果のデータに基づき表示部１４に肌測定の結果を表示し（ステップＳ１１）、処理を終了する（“ＥＮＤ”）。
【００２９】
音声通話の開始に伴って肌測定を開始するのではなく、操作入力部１７に属する操作キーのいずれかの操作によって肌測定を開始する場合には、ステップＳ１を省略すると共にステップＳ６において当該操作キーの操作の有無を判定するように変更すればよい。
【００３０】
被測定者の認証が不要の場合は、ステップＳ２ないしＳ５を省略すればよい。また、被測定者の認証を生体認証のような他の方法によって行う場合には、ステップＳ２ないしＳ５を当該認証方法に適合するように改めればよい。このほか、図４のフローチャートは肌測定の条件設定や態様に応じてさまざまに変形することが可能である。
【００３１】
図５を参照して、肌測定の結果の表示態様の一例を説明する。図５は、表示部１４において肌測定の結果を表示する画面を例示する図である。画面の最上段の「肌測定結果」のテキスト表示に続いて、登録済みの認証情報と測定条件に基づく氏名と年齢が表示されている。
【００３２】
水分はバーチャートで表示され、“−５”から“＋５”までの数値が目盛られている。この表示は、目盛りの“０”が被測定者の年齢における標準的な値に対応し、目盛りの“−５”が被測定者の年齢における水分不足状態の下限に対応し、目盛りの“＋５”が被測定者の年齢における水分超過状態の上限に対応すると仮定して例示したものである。油分も、同様のバーチャートで表示される。
【００３３】
バランスは、年齢及び水分と油分の測定結果から求めた総合的な肌のケア度合いを表す指標として、仮に想定したものである。バランスは１０段階にわたり星マークの色分けで表示され、黒塗りの星マークの数が１０個の場合に最良のバランスを表すものとしている。図５の例では黒塗りの星マークの数が７個であるから、肌のバランスが良い方から数えて４番目であることを表している。例えばこの星マークの数については、水分の測定結果及び油分の測定結果に基づいて決まる値とする。
【００３４】
図６を参照して、肌測定の履歴の表示態様の一例を説明する。図６は、表示部１４において肌測定の結果の履歴を表示する画面を例示する図である。画面の最上段の「肌測定履歴」のテキスト表示に続いて、登録済みの認証情報と測定条件に基づく氏名と年齢が表示されている。
【００３５】
図６では、図５の肌測定結果の画面に表示された水分、油分、バランスの各数値の履歴が折れ線グラフの形式で表示されている。グラフの横軸は測定日に対応し、日付を表す上下２段の数字のうち上段が月、下段が日を表す。したがって図６の折れ線グラフは、６月２０日、６月２７日、７月４日、７月１１日にそれぞれ行われた肌測定の結果の履歴を表している。
【００３６】
グラフの左側の縦軸は、図５を参照して説明した水分と油分のバーチャートに目盛られた数値に対応する。グラフの右側の縦軸は、図５を参照して説明したバランスの黒塗り星マークの個数に対応する。履歴データは、水分を実線で、油分を破線で、バランスを一点鎖線でそれぞれ表している。
【００３７】
上述したような肌測定の結果及び履歴の表示により、肌のケア度合いとその時間的な推移を直観的に把握することができるので、肌のケア度合いの管理、改善等に有用である。なお、図５及び図６に示した肌測定結果及び履歴の表示の形態や数値の取り方、表し方は一例であってさまざまな変形が考えられ、本発明を何ら限定するものではない。
【００３８】
図７を参照して、実施例１の変形例を説明する。図７は、本発明の実施例１の変形例に係る携帯通信端末１ａの外観図である。携帯通信端末１ａは、第１筐体１１ａと第２筐体１２ａが開閉可能に接続されて構成される。図７は、第１筐体１１ａと第２筐体１２ａが互いに開いた状態を使用者側から見て表したものである。ただし、携帯通信端末１ａの筐体構成は、図７に表したようないわゆる折りたたみ型に限るものではない。
【００３９】
第１筐体１１ａは、図１を参照して説明した携帯通信端末１の第１筐体１１と同じく表示部１４及び受話部１５を備えているが、第１筐体１１と異なり肌測定センサは備えていない。第２筐体１２ａは、図１を参照して説明した携帯通信端末１の第２筐体１２と同じく送話部１６及び操作入力部１７を備えるほか、肌測定センサ１８ａを備えている。肌測定センサ１８ａは、図１を参照して説明した携帯通信端末１の肌測定センサ１８と同じである。
【００４０】
携帯通信端末１ａが例えば電子メール送信のためのテキスト入力に使用される場合は、第１筐体１１ａと第２筐体１２ａが互いに開かれて第２筐体１２ａが手持ちされ、操作入力部１７の操作キーが操作される。そうすると、操作入力部１７の下方であって送話部１６の近傍に取り付けられた肌測定センサ１８ａは、操作者の肌（例えば手のひらの一部）と接し得る位置にある。
【００４１】
肌測定センサ１８ａは、図７に示した位置に限らず、例えば第２筐体１２ａの図示しない左右の側面又は背面に取り付けられてもよい。肌測定センサ１８ａがそのような位置にあれば、操作入力中の場合だけでなく音声通話中の場合にも、操作者の肌（例えば手のひらの一部）と接し得る位置にある。また、先に説明した肌測定センサ１８を備える第１筐体１１と、肌測定センサ１８ａを備える第２筐体１２ａを開閉可能に接続して、携帯通信端末を構成してもよい。
【００４２】
図４を参照して説明した携帯通信端末１に係る肌測定の処理フローは、ステップＳ１とステップＳ６を若干変更するだけで携帯通信端末１ａにも適用することができる。ステップＳ１は、例えば電子メール送信のためのテキスト入力開始に伴って肌測定が開始されるように予め設定する操作に変更すればよい。また、電子メール送信のためのメール作成画面を表示した（又はメール作成アプリケーションを起動した）ことに基づき肌測定が開始されてもよい。ステップＳ６は、電子メール送信のためのテキスト入力を開始する操作の有無の判定に変更すればよい。
【００４３】
本発明の実施例１によれば、携帯通信端末の操作中又は音声通話中に使用者の肌に接し得るように携帯通信端末の筐体に肌測定センサを取り付けたことにより、上記の操作又は通話と並行かつ自動的に肌の状態を測定して測定結果を表示したり、データを記憶して履歴表示したりすることができる。
【実施例２】
【００４４】
以下、図８ないし図１０を参照して、本発明の実施例２を説明する。図８は、本発明の実施例２に係る携帯通信端末３の外観図である。携帯通信端末３は、第１筐体３１と第２筐体３２が接続部３３を介して開閉可能に接続されて構成される。図８は、第１筐体３１と第２筐体３２が互いに開いた状態を使用者側から見て表したものである。
【００４５】
第１筐体３１には、表示部３４と受話部３５が取り付けられている。第２筐体３２には、送話部３６と操作入力部３７が取り付けられている。第１筐体３１の受話部３５の近傍に、肌測定センサ３８が取り付けられている。これらの構成は、実施例１の表示部１４、受話部１５、送話部１６、操作入力部１７及び肌測定センサ１８とそれぞれ同じとする。
【００４６】
接続部３３はいわゆる２軸ヒンジ型に構成され、図示した「第１軸」と「第２軸」の２つの回転軸を有している。図８に示した状態から、第１筐体３１と第２筐体３２を第１軸の周りに折りたたむように回転させることにより、第１筐体３１の表示部３４が取り付けられた面と第２筐体３２の操作入力部３７が取り付けられた面が対向する形で第１筐体３１と第２筐体３２を閉じることができる。その場合、閉じられた携帯通信端末３の外側から表示部３４を視認することはできなくなる。
【００４７】
図８に示した状態から、第１筐体３１を第２軸の周りに１８０度回転させ、さらに第１筐体３１と第２筐体３２を第１軸の周りに折りたたむように回転させることにより、第１筐体３１の図示しない背面と第２筐体３２の操作入力部３７が取り付けられた面が対向する形で第１筐体３１と第２筐体３２を閉じることができる。その場合、表示部３４は閉じられた携帯通信端末３の外側を向く形になるので外側から視認することができる。
【００４８】
図９は、携帯通信端末３のブロック図である。携帯通信端末３は、アンテナ３９と送受信部４０を備え、図示しない移動通信基地局との間で電波の送受信をすることができる。携帯通信端末３は、音声インターフェース部４１、制御部４２及びメモリ４３を備えている。これらの構成は、実施例１のアンテナ１９、送受信部２０、音声インターフェース部２１、制御部２２及びメモリ２３と、それぞれ同じである。
【００４９】
携帯通信端末３は、テレビジョン放送受信用のアンテナ（ＴＶアンテナ）４５とテレビジョン放送受信部（ＴＶ受信部）４６を備えている。ＴＶアンテナ４５は例えば伸縮式のロッドアンテナであって第１筐体３１又は第２筐体３２の内部に格納され（したがって図８には図示しない。）、放送の受信時に外部に引き伸ばして使用されるものとする。ＴＶ受信部４６はアナログ又はディジタル方式のテレビジョン放送を受信して、テレビジョン画像及び音声を表示部３４及び受話部３５又は図示しないスピーカー若しくはイヤホンからそれぞれ再生することができる。
【００５０】
図１０は、テレビジョン放送の視聴における携帯通信端末３の利用態様を例示する図である。図１０に符号を付して示した構成は、図８に同じ符号を付して示した構成とそれぞれ同じであるから、説明を省略する。図１０において携帯通信端末３の第１筐体３１は、上述したように第１筐体３１の図示しない背面と図８に示した第２筐体３２の操作入力部３７が取り付けられた面が対向する形で、第２筐体３２に対して閉じられた状態にある。
【００５１】
この状態で図１０にブロック矢印で示したように、第１筐体３１の受話部３５の側及び接続部３３の側をそれぞれ左手及び右手で持つことにより、表示部３４を横置きにしてテレビジョン放送を視聴することができる。そうすると、受話部３５の近傍に取り付けられた肌測定センサ３８は、操作者の肌（例えば左の手のひらの一部又は親指付近）と接し得る位置にある。
【００５２】
肌測定センサ３８は、図７に示した位置に限らず、例えば第１筐体３１若しくは第２筐体３２の図示しない側面若しくは背面又は接続部３３の近傍に取り付けられてもよい。肌測定センサ３８は、実施例１で説明した肌測定センサ１８のように表示部３４の（図１０における）右側に取り付けられてもよい。実施例１で説明した音声通話や操作中に肌測定を行うことのできる肌測定センサを、携帯通信端末３に追加して取り付けることもできる。
【００５３】
図１０に表した状態において操作入力部３７に属する所定の操作キー（第１筐体３１若しくは第２筐体３２の図示しない側面に取り付けられたもの）が操作されると、肌測定センサ３８が起動されて肌測定が開始されるようにすることができる。また、テレビジョン放送受信の開始に伴って肌測定が開始されるように予め設定しておき、テレビジョン放送受信を開始する操作を受けて肌測定センサ３８が起動され、肌測定が開始されるようにすることもできる。
【００５４】
実施例１で説明した肌測定の終了の報知、肌測定の結果又は履歴の表示、肌測定の条件設定、及び肌測定の開始に先立つ被測定者の認証は、実施例２にも同様に適用することができる。
【００５５】
図４を参照して説明した実施例１の携帯通信端末１に係る肌測定の処理フローは、ステップＳ１とステップＳ６を若干変更するだけで携帯通信端末３にも適用することができる。ステップＳ１は、例えばテレビジョン放送の受信開始に伴って肌測定が開始されるように予め設定する操作に変更すればよい。ステップＳ６は、テレビジョン放送の受信を開始する操作の有無の判定に変更すればよい。
【００５６】
本発明の実施例２によれば、携帯通信端末を用いたテレビジョン放送の視聴中に使用者の肌に接し得るように携帯通信端末の筐体に肌測定センサを取り付けたことにより、テレビジョン放送の視聴と並行かつ自動的に肌の状態を測定して測定結果を表示したり、データを記憶して履歴表示したりすることができる。
【００５７】
なお、以上の実施例において説明した携帯通信端末の外観、構成、接続、肌測定センサの取り付け位置又は処理フローはいずれも例示であり、本発明の要旨を逸脱しない範囲でさまざまな変形が可能である。
【図面の簡単な説明】
【００５８】
【図１】本発明の実施例１に係る携帯通信端末の外観図。
【図２】実施例１に係る携帯通信端末のブロック図。
【図３】実施例１に係る携帯通信端末の利用態様を例示する図。
【図４】実施例１に係る携帯通信端末を用いた肌測定の処理のフローチャート。
【図５】実施例１に係る携帯通信端末を用いた肌測定の結果の表示画面を例示する図。
【図６】実施例１に係る携帯通信端末を用いた肌測定の結果の履歴の表示画面を例示する図。
【図７】本発明の実施例１の変形例に係る携帯通信端末の外観図。
【図８】本発明の実施例２に係る携帯通信端末の外観図。
【図９】実施例２に係る携帯通信端末のブロック図。
【図１０】実施例２に係る携帯通信端末の利用態様を例示する図。
【符号の説明】
【００５９】
１、１ａ、３  携帯通信端末
１１、１１ａ、３１  第１筐体
１２、１２ａ、３２  第２筐体
１４、３４  表示部
１５、３５  受話部
１６、３６  送話部
１７、３７  操作入力部
１８、３８  肌測定センサ
１９、３９  アンテナ
２０、４０  送受信部
２１、４１  音声インターフェース部
２２、４２  制御部
２３、４３  メモリ
３３  接続部
４５  ＴＶアンテナ
４６  ＴＶ受信部
【図１】
2009065390.tif 000003
【図２】
2009065390.tif 000004
【図３】
2009065390.tif 000005
【図４】
2009065390.tif 000006
【図５】
2009065390.tif 000007
【図６】
2009065390.tif 000008
【図７】
2009065390.tif 000009
【図８】
2009065390.tif 000010
【図９】
2009065390.tif 000011
【図１０】
2009065390.tif 000012